(57)【要約】【課題】タッチ操作の強弱を検出するセンサを用いることなく、タッチ操作の強弱の判定を容易に行うことができる操作検出装置を提供する。【解決手段】本実施の形態に係る操作検出装置１は、主に、検出対象の接触によりタッチ感度値が変化するタッチパネル２と、タッチパネル２になされた操作の判定に用いられる第１のしきい値３０を記憶する記憶部３と、タッチパネル２から取得したタッチ感度値に基づいて得られるタッチ感度曲線と第１のしきい値３０との交点を挟む２つのタッチ感度値を用いて算出されるタッチ感度曲線の傾きに基づいてタッチパネル２になされた操作が第１の接触操作（弱いタッチ操作）なのか、第１の接触操作よりも強い第２の接触操作（強いタッチ操作）なのかを判定し、判定結果に基づいて予め定められた処理を行う判定部としての制御部４と、を備える。【選択図】図１
2013143013.tif 000002
【特許請求の範囲】
【請求項１】
検出対象の接触により検出値が変化する検出部と、
前記検出部になされた操作の判定に用いられる第１のしきい値を記憶する記憶部と、
前記検出部から取得した前記検出値に基づいて得られる検出曲線と前記第１のしきい値との交点を挟む２つの検出値を用いて算出される前記検出曲線の傾きに基づいて前記検出部になされた操作が第１の接触操作なのか、前記第１の接触操作よりも強い第２の接触操作なのかを判定し、判定結果に基づいて予め定められた処理を行う判定部と、
を備えた操作検出装置。
【請求項２】
前記記憶部は、第２のしきい値を記憶し、
前記判定部は、前記第１のしきい値を最初に越えた検出値と、前記最初に超えた検出値の直前の検出値と、の差分を求めることで前記傾きを算出し、前記差分と前記記憶部から読み出した前記第２のしきい値とを比較して前記検出部になされた操作が前記第１の接触操作なのか、前記第２の接触操作なのかを判定する請求項１に記載の操作検出装置。
【請求項３】
さらに、画像を表示する表示部を備え、
前記判定部は、前記予め定められた処理として、前記表示部に表示された前記画像が属する階層から少なくとも２つ以上離れた階層に属する画像を表示させる請求項１又は２に記載の操作検出装置。
【発明の詳細な説明】
【技術分野】
【０００１】
本発明は、操作検出装置に関する。
【背景技術】
【０００２】
従来の技術として、検出面に接触する指の接触面積から検出面に対する指の圧力を判定するセンシングシステムが知られている（例えば、特許文献１参照。）。
【０００３】
このセンシングシステムは、指の接触面積がしきい値を越えるほど広いとき、検出面に対して強い操作、例えば、プッシュ操作が行われたと判定する。
【先行技術文献】
【特許文献】
【０００４】
【特許文献１】特開２００５−１４９５３１号公報
【発明の概要】
【発明が解決しようとする課題】
【０００５】
しかし、従来のセンシングシステムは、検出面に指を接触させる方法が操作者によって異なることから指の接触面積も異なり、検出精度を向上させることが難しい。
【０００６】
従って、本発明の目的は、タッチ操作の強弱を検出するセンサを用いることなく、タッチ操作の強弱の判定を容易に行うことができる操作検出装置を提供することにある。
【課題を解決するための手段】
【０００７】
本発明の一態様は、検出対象の接触により検出値が変化する検出部と、検出部になされた操作の判定に用いられる第１のしきい値を記憶する記憶部と、検出部から取得した検出値に基づいて得られる検出曲線と第１のしきい値との交点を挟む２つの検出値を用いて算出される検出曲線の傾きに基づいて検出部になされた操作が第１の接触操作なのか、第１の接触操作よりも強い第２の接触操作なのかを判定し、判定結果に基づいて予め定められた処理を行う判定部と、を備えた操作検出装置を提供する。
【発明の効果】
【０００８】
本発明によれば、タッチ操作の強弱を検出するセンサを用いることなく、タッチ操作の強弱の判定を容易に行うことができる。
【図面の簡単な説明】
【０００９】
【図１】図１は、実施の形態に係る操作検出装置のブロック図である。
【図２】図２（ａ）は、実施の形態に係る操作検出装置が検出する弱いタッチ操作が行われた際に測定されるタッチ感度曲線の時間変化を示すグラフであり、（ｂ）は、強いタッチ操作が行われた際に測定されるタッチ感度曲線の時間変化を示すグラフであり、（ｃ）は、タッチ感度曲線の傾きの算出方法を説明するためのグラフである。
【図３】図３は、本実施の形態に係る操作検出装置の判定動作を説明するためのフローチャートである。
【図４】図４（ａ）〜（ｃ）は、本実施の形態に係る操作検出装置になされた弱いタッチ操作に基づく動作を説明するための概略図である。
【図５】図５（ａ）及び（ｂ）は、本実施の形態に係る操作検出装置の強いタッチ操作に基づく動作を説明するための概略図である。
【図６】図６（ａ）及び（ｂ）は、本実施の形態に係る操作検出装置になされた弱いタッチ操作に基づく動作を説明するための概略図であり、（ｃ）及び（ｄ）は、強いタッチ操作に基づく動作を説明するための概略図である。
【発明を実施するための形態】
【００１０】
（実施の形態の要約）
実施の形態に係る操作検出装置は、検出対象の接触により検出値が変化する検出部と、検出部になされた操作の判定に用いられる第１のしきい値を記憶する記憶部と、検出部から取得した検出値に基づいて得られる検出曲線と第１のしきい値との交点を挟む２つの検出値を用いて算出される検出曲線の傾きに基づいて検出部になされた操作が第１の接触操作なのか、第１の接触操作よりも強い第２の接触操作なのかを判定し、判定結果に基づいて予め定められた処理を行う判定部と、を備える。
【００１１】
[実施の形態]
（操作検出装置１の構成）
図１は、実施の形態に係る操作検出装置のブロック図である。図２（ａ）は、実施の形態に係る操作検出装置が検出する弱いタッチ操作が行われた際に測定されるタッチ感度曲線の時間変化を示すグラフであり、（ｂ）は、強いタッチ操作が行われた際に測定されるタッチ感度曲線の時間変化を示すグラフであり、（ｃ）は、タッチ感度曲線の傾きの算出方法を説明するためのグラフである。図２（ａ）及び（ｂ）は、縦軸がタッチ感度値であり、横軸が時間（ｓ）である。また、図２（ａ）及び（ｂ）は、一例として、タッチ感度値の範囲が０〜２５５、時間の範囲が０〜１．２ｓである。
【００１２】
本実施の形態に係る操作検出装置１は、主に、検出対象の接触により検出値としてのタッチ感度値が変化する検出部としてのタッチパネル２と、タッチパネル２になされた操作の判定に用いられる第１のしきい値３０を記憶する記憶部３と、タッチパネル２から取得したタッチ感度値に基づいて得られる検出曲線としてのタッチ感度曲線と第１のしきい値３０との交点を挟む２つのタッチ感度値を用いて算出されるタッチ感度曲線の傾きに基づいてタッチパネル２になされた操作が第１の接触操作（弱いタッチ操作）なのか、第１の接触操作よりも強い第２の接触操作（強いタッチ操作）なのかを判定し、判定結果に基づいて予め定められた処理を行う判定部としての制御部４と、を備える。
【００１３】
操作検出装置１は、例えば、導電性を有するペンや操作者の体の一部（例えば、指）による操作により、表示部２６に表示されたカーソルの移動や選択、表示されたアイコンのドラッグ、ドロップ等の指示を行うことができるように構成されている。本実施の形態では、指による操作について説明する。なお、操作検出装置１は、一例として、車両に搭載され、当該車両に搭載された電子機器の操作を行うことができるものとする。
【００１４】
（タッチパネル２の構成）
タッチパネル２は、例えば、パネル２０の検出面２０ａに対する指の接近、又は接触による、ｘ軸センサワイヤ２１及びｙ軸センサワイヤ２２と指との距離に反比例した静電容量を出力するセンサである。
【００１５】
このタッチパネル２は、例えば、図１に示すように、パネル２０と、ｘ軸センサワイヤ２１と、ｙ軸センサワイヤ２２と、切替部２３と、駆動部２４と、静電容量検出部２５と、表示部２６と、表示制御部２７と、を備えて概略構成されている。
【００１６】
パネル２０は、例えば、ＰＥＴ（Polyethylene terephthalate）又はガラスを用いて、板状に形成される。
【００１７】
ｘ軸センサワイヤ２１及びｙ軸センサワイヤ２２は、例えば、図１の紙面の縦方向及び横方向に沿って並んでいる。本実施の形態では、図１の紙面の横方向をｘ軸、縦方向をｙ軸とし、タッチパネル２の左上を原点としている。
【００１８】
ｘ軸方向には、例えば、図１に示すように、ｍ個のｘ軸センサワイヤ２１が等間隔で並んでいる。このｍは、例えば、正の整数である。ｍ個のｘ軸センサワイヤ２１は、例えば、切替部２３に電気的に接続されている。
【００１９】
ｙ軸方向には、例えば、図１に示すように、ｎ個のｙ軸センサワイヤ２２が等間隔で並んでいる。このｎは、例えば、正の整数である。ｎ個のｙ軸センサワイヤ２２は、例えば、切替部２３に電気的に接続されている。
【００２０】
ｘ軸センサワイヤ２１は、例えば、ｙ軸センサワイヤ２２よりも検出面２０ａに近い層に形成されている。また、ｘ軸センサワイヤ２１は、例えば、ｙ軸センサワイヤ２２と電気的に絶縁されている。
【００２１】
このｘ軸センサワイヤ２１及びｙ軸センサワイヤ２２は、例えば、ＩＴＯ（スズドープ酸化インジウム：Indium Tin Oxide）を用いて形成される。
【００２２】
切替部２３は、例えば、制御部４から出力される切替制御信号に基づいて、ｘ軸センサワイヤ２１と駆動部２４又は静電容量検出部２５との接続の切り替えを行う。また、切替部２３は、例えば、制御部４から出力される切替制御信号に基づいて、ｙ軸センサワイヤ２２と駆動部２４又は静電容量検出部２５との接続の切り替えを行う。
【００２３】
駆動部２４は、例えば、制御部４から出力される駆動制御信号に基づいて、駆動に必要な駆動信号を、切替部２３を介してｘ軸センサワイヤ２１及びｙ軸センサワイヤ２２に供給するように構成されている。
【００２４】
静電容量検出部２５は、例えば、制御部４から出力される検出制御信号に基づいて、切替部２３を介して接続されたｘ軸センサワイヤ２１及びｙ軸センサワイヤ２２から、周期的に静電容量を取得するように構成されている。なお、この周期は、一例として、２０ｍｓである。
【００２５】
また、静電容量検出部２５は、例えば、取得した静電容量に基づいてタッチ感度値を算出する。このタッチ感度値とは、例えば、測定された静電容量を０〜２５５までの値に換算して得られた値である。静電容量検出部２５は、例えば、このタッチ感度値を制御部４に出力する。
【００２６】
表示部２６は、例えば、パネル２０の下に配置される。つまり、操作者は、パネル２０を介して表示部２６を見ている。この表示部２６は、例えば、液晶モニタである。この表示部２６は、例えば、表示制御部２７から出力される表示信号に基づいて画像を表示するように構成されている。また、表示制御部２７は、例えば、制御部４から出力される表示制御信号に基づいて表示部２６に画像を表示させるための表示信号を生成するように構成されている。
【００２７】
（記憶部３の構成）
記憶部３は、例えば、半導体素子を用いて形成された半導体メモリである。この記憶部３は、例えば、第１のしきい値３０と、第２のしきい値３１と、接続された電子機器の情報である電子機器情報３２と、お気に入り情報３３と、を格納している。
【００２８】
第１のしきい値３０は、例えば、タッチ操作が行われたことを判定するためのしきい値である。制御部４は、例えば、タッチパネル２から取得したタッチ感度値と第１のしきい値３０を比較することにより、タッチ操作を判定する。なお、第１のしきい値３０は、一例として、６０である。制御部４は、例えば、タッチ感度値が６０以上であるとき、タッチ操作がなされたと判定し、タッチ感度値が６０より小さいとき、タッチ操作はなされていないと判定する。
【００２９】
第２のしきい値３１は、例えば、なされた操作が弱いタッチ操作なのか、強いタッチ操作なのかを判定するためのしきい値である。制御部４は、例えば、タッチパネル２から取得したタッチ感度値と第２のしきい値３１とを比較することにより、タッチ操作の強弱を判定する。
【００３０】
電子機器情報３２は、例えば、操作検出装置１が接続された電子機器の情報である。また、電子機器情報３２は、例えば、表示部２６に表示させる画像の情報等を含んでいる。
【００３１】
お気に入り情報３３は、例えば、操作者が登録したお気に入りに関する情報を含んでいる。後述するお気に入り画像は、例えば、このお気に入り情報３３に基づいて生成される。
【００３２】
（制御部４の構成）
制御部４は、例えば、記憶されたプログラムに従って、取得したデータに演算、加工等を行うＣＰＵ（Central Processing Unit）、半導体メモリであるＲＡＭ（Random Access Memory）及びＲＯＭ（Read Only Memory）等から構成されるマイクロコンピュータである。ＲＡＭは、例えば、一時的に演算結果等を格納する記憶領域として用いられる。なお、操作検出装置１は、例えば、記憶部３としてＲＯＭが用いられても良い。
【００３３】
ここで、図２（ａ）及び（ｂ）に示すタッチ感度曲線３０１及びタッチ感度曲線３０３は、例えば、周期的に取得された静電容量をタッチ感度値に変換してグラフ化したものである。図２（ａ）及び（ｂ）で得られたタッチ感度曲線３０１及びタッチ感度曲線３０３は、一例として、測定して得られた結果を元に定性的な説明ができるように模式的に描かれたグラフである。
【００３４】
弱いタッチ操作は、一例として、図２（ａ）に示すように、タッチ感度値の最大値が、タッチ感度値の範囲の中間付近の値（例えば、１２７）よりも小さく、全体が横に広がったような曲線となる。また、強いタッチ操作は、一例として、図２（ｂ）に示すように、タッチ感度値の最大値が、タッチ感度値の範囲の上限（２５５）に近く、鋭角に尖ったような曲線となる。
【００３５】
操作者が、例えば、弱いタッチ操作を行う際は、検出面２０ａに弱く、そして長い時間操作を行い、強いタッチ操作を行う際は、検出面２０ａに強く、そして短時間で操作を終了する傾向がある。
【００３６】
そこで制御部４は、例えば、タッチパネル２から取得したタッチ感度値に基づいて得られるタッチ感度曲線と第１のしきい値３０との交点を挟む２つのタッチ感度値を用いて算出されるタッチ感度曲線の傾きに基づいてタッチ操作の強弱を判定する。
【００３７】
図２（ａ）に示すタッチ感度曲線３０１の場合、制御部４は、例えば、タッチ感度曲線３０１と第１のしきい値３０との交点３０２を挟む２つのタッチ感度値を用いて算出されるタッチ感度曲線３０１の傾きに基づいてタッチ操作の強弱を判断する。
【００３８】
また、図２（ｂ）に示すタッチ感度曲線３０３の場合、制御部４は、例えば、タッチ感度曲線３０３と第１のしきい値３０との交点３０４を挟む２つのタッチ感度値を用いて算出されるタッチ感度曲線３０３の傾きに基づいてタッチ操作の強弱を判断する。
【００３９】
具体的には、例えば、図２（ｃ）に示すように、タッチ感度曲線３０５と第１のしきい値３０との交点３０６を挟む２つのタッチ感度値として、最初に第１のしきい値３０を超えた時間ｔ２におけるタッチ感度値Ｃ２と、タッチ感度値Ｃ２の直前である時間ｔ１におけるタッチ感度値Ｃ１と、を用いる。ここで、静電容量検出部２５は、例えば、クロック信号生成部５が生成するクロック信号に基づいて周期的に静電容量を読み出してタッチ感度値を出力する。従って、タッチ感度値は、例えば、クロック信号に基づいて周期的に得られるものである。
【００４０】
制御部４は、例えば、図２（ｃ）に示すように、このタッチ感度値Ｃ２とタッチ感度値Ｃ１の差分と、時間ｔ２と時間ｔ１の差分と、に基づいて傾きを算出する。制御部４は、例えば、この算出された傾きと第２のしきい値３１とを比較して、傾きが第２のしきい値３１以上のとき、なされた操作を強いタッチ操作と判定する。また、制御部４は、例えば、傾きが第２のしきい値３１より小さいとき、なされた操作を弱いタッチ操作と判定する。
【００４１】
なお、この第２のしきい値３１は、一例として、１２８である。つまり、制御部４は、例えば、上記のタッチ感度値の差分が、１２８以上であるとき、強いタッチ操作と判定し、１２８より小さいとき、弱いタッチ操作と判定する。
【００４２】
また、制御部４は、例えば、タッチパネル２から取得するタッチ感度値に基づいてなされた操作の座標の情報、及びタッチ操作の強弱の情報を含む操作情報を生成し、通信部６を介して電子機器に出力するように構成されている。このタッチ操作の強弱の情報は、例えば、なされた操作が弱いタッチ操作なのか強いタッチ操作なのかの情報である。
【００４３】
（クロック信号生成部５と通信部６の構成）
クロック信号生成部５は、例えば、操作検出装置１が動作するために必要なクロック信号を生成する。このクロック信号は、例えば、静電容量の読み出しのタイミング、タッチ感度値の算出のタイミング等に用いられる。なお、クロック信号生成部５は、例えば、制御部４に組み込まれても良い。
【００４４】
通信部６は、例えば、操作検出装置１が電気的に接続される電子機器に接続されている。
【００４５】
以下に、本実施の形態に係る操作検出装置１の動作について各図を参照しながら説明する。まず、以下では、操作検出装置１の判定動作について、図３のフローチャートに従って説明する。
【００４６】
（判定動作）
操作検出装置１の制御部４は、車両の電源が投入されると、クロック信号生成部５から出力されるクロック信号に基づいて駆動信号、検出制御信号及び切替制御信号を生成し、駆動信号を駆動部２４に出力し、静電容量検出部２５に検出制御信号を出力し、切替制御信号を切替部２３に出力する。
【００４７】
次に、切替部２３は、取得した切替制御信号に基づいて、駆動部２４とｙ軸センサワイヤ２２の接続、静電容量検出部２５とｘ軸センサワイヤ２１の接続を行い、静電容量検出部２５がｘ軸方向の静電容量を読み出す。また、切替部２３は、次の周期において、駆動部２４とｘ軸センサワイヤ２１の接続、静電容量検出部２５とｙ軸センサワイヤ２２の接続を行い、静電容量検出部２５がｙ軸方向の静電容量を読み出す。続いて静電容量検出部２５は、タッチ感度値を生成し、制御部４に出力する（Ｓ１）。
【００４８】
次に、制御部４は、取得したタッチ感度値に基づいてタッチ感度値と第１のしきい値３０を比較する（Ｓ２）。
【００４９】
次に、制御部４は、タッチ感度値が第１のしきい値３０以上であるとき（Ｓ３：Ｙｅｓ）、タッチ感度曲線の傾きを算出する（Ｓ４）。
【００５０】
具体的には、制御部４は、第１のしきい値３０を最初に越えたタッチ感度値と、最初に超えたタッチ感度値の直前のタッチ感度値と、の差分を求めて傾きを算出する。
【００５１】
次に、制御部４は、算出した傾きと第２のしきい値３１とを比較し、傾きが第２のしきい値３１以上であるとき（Ｓ５：Ｙｅｓ）、なされた操作を強いタッチ操作と判定し（Ｓ６）、判定動作を終了する。また、制御部４は、傾きが第２のしきい値３１より小さいとき（Ｓ５：Ｎｏ）、なされた操作を弱いタッチ操作と判定し（Ｓ７）、判定動作を終了する。
【００５２】
次に、制御部４は、操作情報を生成し、通信部６を介して電子機器に出力する。
【００５３】
ここで、ステップ３において、制御部４は、タッチ感度値が第１のしきい値３０より小さいとき（Ｓ３：Ｎｏ）、ステップ１に戻る。
【００５４】
続いて以下では、音楽再生装置における、弱いタッチ操作及び強いタッチ操作の違いについて説明する。
【００５５】
（弱いタッチ操作に基づく動作）
図４（ａ）〜（ｃ）は、本実施の形態に係る操作検出装置になされた弱いタッチ操作に基づく動作を説明するための概略図である。
【００５６】
図４（ａ）に示す表示画面２６０には、「アーティスト」の文字が表示されたアイコン２６０ａと、「Ａ」の文字が表示されたアイコン２６０ｂと、「Ｂ」の文字が表示されたアイコン２６０ｃと、「Ｃ」の文字が表示されたアイコン２６０ｄと、「戻る」の文字が表示されたアイコン２６０ｅと、が表示されている。
【００５７】
図４（ｂ）に示す表示画面２６１には、「音楽」の文字が表示されたアイコン２６１ａと、「曲」の文字が表示されたアイコン２６１ｂと、「アルバム」の文字が表示されたアイコン２６１ｃと、「アーティスト」の文字が表示されたアイコン２６１ｄと、「戻る」の文字が表示されたアイコン２６１ｅと、が表示されている。
【００５８】
図４（ｃ）に示す初期画面２６２には、「カーナビ」の文字が表示されたアイコン２６２ａと、「エアコン」の文字が表示されたアイコン２６２ｂと、「音楽」の文字が表示されたアイコン２６２ｃと、が表示されている。
【００５９】
ここで、初期画面２６２とは、例えば、操作検出装置１が制御することができる電子機器を選択することができる画面である。「カーナビ」は、カーナビゲーション装置を示し、「エアコン」は、空調装置を示し、「音楽」は、音楽再生装置を示している。
【００６０】
操作者は、例えば、図４（ａ）に示すように、パネル２０の検出面２０ａにタッチ操作を行い、表示画面２６０に表示される「戻る」が表示されたアイコン２６０ｅを選択する。
【００６１】
操作検出装置１の制御部４は、当該タッチ操作が弱いタッチ操作であると判定すると、判定結果に基づいて予め定められた処理、すなわち、表示画面２６０の１つ上の階層である表示画面２６１を表示部２６に表示させる。
【００６２】
次に、操作者は、例えば、図４（ｂ）に示すように、パネル２０の検出面２０ａにタッチ操作を行い、表示画面２６１に表示される「戻る」が表示されたアイコン２６１ｅを選択する。
【００６３】
操作検出装置１の制御部４は、図４（ｃ）に示すように、タッチ操作の強弱に関わらず、表示画面２６１の１つ上の階層であり最上層の階層に相当する初期画面２６２を表示部２６に表示させる。
【００６４】
上述のように、操作検出装置１は、弱いタッチ操作が行われた場合、一例として、階層を飛ばすことなく順番に表示する。
【００６５】
（強いタッチ操作に基づく動作）
図５（ａ）及び（ｂ）は、本実施の形態に係る操作検出装置の強いタッチ操作に基づく動作を説明するための概略図である。
【００６６】
操作者は、例えば、図５（ａ）に示すように、パネル２０の検出面２０ａにタッチ操作を行い、表示画面２６０に表示される「戻る」が表示されたアイコン２６０ｅを選択する。
【００６７】
操作検出装置１の制御部４は、当該タッチ操作が強いタッチ操作であると判定すると、判定結果に基づいて予め定められた処理、すなわち、表示画面２６０が属する階層から２つ離れた階層に属する画像である初期画面２６２を表示部２６に表示させる。
【００６８】
上述のように、操作検出装置１は、強いタッチ操作が行われた場合、一例として、階層を飛ばして表示する。
【００６９】
続いて以下では、カーナビゲーション装置における弱いタッチ操作及び強いタッチ操作の違いについて説明する。
【００７０】
（弱いタッチ操作に基づく動作）
図６（ａ）及び（ｂ）は、本実施の形態に係る操作検出装置になされた弱いタッチ操作に基づく動作を説明するための概略図であり、（ｃ）及び（ｄ）は、強いタッチ操作に基づく動作を説明するための概略図である。
【００７１】
図６（ａ）に示す表示画面２６３には、例えば、現在地に応じた地図が表示されている。また、図６（ｂ）に示す目的地設定画面２６４には、「お気に入り」の文字が表示されたアイコン２６３ａと、「住所より検索」の文字が表示されたアイコン２６３ｂと、「電話番号より検索」の文字が表示されたアイコン２６３ｃと、が表示されている。
【００７２】
また、図６（ｄ）に示すお気に入り画面２６５には、「はい」の文字が表示されたアイコン２６５ａと、「いいえ」の文字が表示されたアイコン２６５ｂと、が表示されている。
【００７３】
操作者は、例えば、図６（ａ）に示すように、パネル２０の検出面２０ａを介して表示画面２６３に表示される地図画像にタッチ操作を行う。
【００７４】
操作検出装置１の制御部４は、例えば、図６（ｂ）に示すように、当該タッチ操作が弱いタッチ操作であると判定すると、判定結果に基づいて予め定められた処理、すなわち、表示画面２６３の１つ上の階層である目的地設定画面２６４を表示部２６に表示させる。
【００７５】
操作者は、例えば、目的地が自宅である場合、目的地設定画面２６４に表示されるアイコン２６３ａ〜アイコン２６３ｃのいずれかに対してタッチ操作を行い、目的地の設定が終わるまで操作を行う。
【００７６】
（強いタッチ操作に基づく動作）
操作者は、例えば、図６（ｃ）に示すように、パネル２０の検出面２０ａを介して表示画面２６３に表示される地図画像にタッチ操作を行う。
【００７７】
操作検出装置１の制御部４は、例えば、図６（ｄ）に示すように、当該タッチ操作が強いタッチ操作であると判定すると、判定結果に基づいて予め定められた処理、すなわち、表示画面２６３が属する階層から少なくとも２つ以上離れた階層に属する画像であるお気に入り画面２６５を表示部２６に表示させる。
【００７８】
このお気に入り画面２６５は、例えば、記憶部３に格納されたお気に入り情報３３に基づいて生成される。また、お気に入り画面２６５は、例えば、図６（ｂ）に示す「お気に入り」アイコン２６３ａを選択することにより表示させることができる。従って、アイコン２６３ａを選択することにより表示させることができる場合、お気に入り画面２６５は、表示画面２６３の２つ上の階層となる。しかし、お気に入りとして登録した情報が多い場合は、「お気に入り」アイコン２６３ａを選択した後、お気に入りに登録した情報の一覧が表示されるので、さらに操作が必要となる場合がある。そのような場合であっても、本実施の形態に係る操作検出装置１は、強いタッチ操作を行うことで、階層を飛ばして、表示画面２６３からお気に入り画面２６５を表示することができる。
【００７９】
操作者は、例えば、図６（ｄ）に示す「はい」の文字が表示されたアイコン２６５ａに対してタッチ操作を行うと、カーナビゲーション装置の目的地設定が終了する。
【００８０】
（実施の形態の効果）
実施の形態に係る操作検出装置１は、タッチ操作専用のセンサを用いることなく、タッチ操作の強弱の判定を容易に行うことができる。具体的には、操作検出装置１は、タッチ感度曲線の傾きに基づいて容易にタッチ操作の強弱を判定することができる。従って、操作検出装置１は、タッチ操作の強弱を検出するためのセンサを必要しないので、製造コストを抑制することができる。
【００８１】
また、操作検出装置１は、タッチ操作の強弱により、表示させる階層を飛ばすことができるので、１つの階層ごとに移動する場合と比べて、目的の階層までの到達が容易となり操作性が向上する。
【００８２】
なお、上記の実施の形態の変形例として、操作検出装置１は、さらに複数のしきい値を備え、弱いタッチ操作及び強いタッチ操作以外のタッチ操作を判定するように構成することも可能である。
【００８３】
また、上記の実施の形態において、操作検出装置１は、予め定められた処理として、判定結果に応じて階層を飛ばして表示させる処理を行ったが、これに限定されず、室温等の設定値の設定において、設定値の変化量をタッチ操作の強弱で変える処理等であっても良い。
【００８４】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００８５】
１…操作検出装置
２…タッチパネル
３…記憶部
４…制御部
５…クロック信号生成部
６…通信部
２０…パネル
２０ａ…検出面
２１…ｘ軸センサワイヤ
２２…ｙ軸センサワイヤ
２３…切替部
２４…駆動部
２５…静電容量検出部
２６…表示部
２７…表示制御部
３０…第１のしきい値
３１…第２のしきい値
３２…電子機器情報
３３…お気に入り情報
２６０…表示画面
２６０ａ〜２６０ｅ…アイコン
２６１…表示画面
２６１ａ〜２６１ｅ…アイコン
２６２…初期画面
２６２ａ〜２６２ｃ…アイコン
２６３…表示画面
２６３ａ〜２６３ｃ…アイコン
２６４…目的地設定画面
２６５…お気に入り画面
２６５ａ、２６５ｂ…アイコン
３０１、３０３、３０５…タッチ感度曲線
３０２、３０４、３０６…交点
【図１】
2013143013.tif 000003
【図２】
2013143013.tif 000004
【図３】
2013143013.tif 000005
【図４】
2013143013.tif 000006
【図５】
2013143013.tif 000007
【図６】
2013143013.tif 000008